(57)【要約】      （修正有）【課題】孔部近傍を常に清潔な状態に維持することができる医療用の輸液ラインの接続構造を得る。【解決手段】先端部に孔部５を有する注入部４、及び注入部４の内側に連通する導入部３からなる注入管２と、注入管４に繋がった底部６ａを有し先端部側に開口すると共に相手側部材３０に嵌合可能な外筒部６と、注入部４に設けた孔部５の前面側より基部側にかけて外挿され基部側に向けて所定以上の押圧力を受けると注入部４を挿入させながら孔部５を外部と連通させ押圧力を解除すると先端部側へ戻って孔部５と外部とを遮断するシャッター本体２１、及びシャッター本体２１を保持しシャッター本体２１と一体となって外筒部６をこれに沿って滑動する滑動部２２からなる保護シャッター２０とを備えている。【選択図】図１ａ
2006102255.tif 000002
【特許請求の範囲】
【請求項１】
医療用の液体を流す輸液ラインの接続構造であって、
先端部に孔部を有する筒状の注入部、及び該注入部の内側に連通する導入部からなる注入管と、
前記注入管に繋がった底部を有し先端部側に開口すると共に相手側部材に嵌合可能な有底筒状の外筒部と、
前記注入部に設けた孔部の前面側より基部側にかけて外挿され前記基部側に向けて所定以上の押圧力を受けると前記注入部を挿入させながら前記孔部を外部と連通させ該押圧力を解除すると先端部側へ戻って前記孔部と外部とを遮断するシャッター本体、及び該シャッター本体を保持し前記シャッター本体と一体となって前記外筒部を該外筒部に沿って滑動する滑動部からなる保護シャッターとを備えたことを特徴とする輸液ラインの接続構造。
【請求項２】
前記注入部の基部側に先端部方向に縮径するテーパー部を設け、前記保護シャッターのシャッター本体がテーパー部側に摺動したとき該シャッター本体が該テーパー部に沿って拡径して先端部側への付勢力を発生することを特徴とする請求項１記載の輸液ラインの接続構造。
【請求項３】
前記注入部の基部側に先端部方向に縮径するテーパー部を設け、前記保護シャッターのシャッター本体がテーパー部側に摺動したとき該シャッター本体が該テーパー部に沿って拡径されると共に該シャッター本体の中央部付近が軸方向基部側に圧縮されて先端部側への付勢力を発生することを特徴とする請求項１記載の輸液ラインの接続構造。
【請求項４】
前記注入部の基部側に前記保護シャッターのシャッター本体を先端部側に付勢する弾性部材を設け、前記保護シャッターが基部側に摺動したとき該保護シャッターが前記弾性部材によって先端部側への付勢力を発生することを特徴とする請求項１記載の輸液ラインの接続構造。
【請求項５】
保護シャッターのエア抜き用のフィルターを、注入部の孔部正面に設けたことを特徴とする請求項１〜４のいずれかに記載の輸液ラインの接続構造。
【請求項６】
前記相手部材は、先端から後端まで連通し、先端側から前記注入部を包囲すると共に後端側に外部に向けて空気の排出が可能でかつ液体の流出防止が可能なフィルターが設置された包囲部と、該包囲部から外形方向に延びる底面部と、該底面部から前記外筒部の外周を包囲するように形成され接続部を有する外筒囲み部とからなる保護キャップであることを特徴とする請求項１乃至４のいずれかに記載の輸液ラインの接続構造。
【請求項７】
請求項１乃至６記載の輸液ラインの接続構造を備えた雄コネクターと、
前記外筒部に嵌合する嵌合部を有する外管と該外管の内周側に配置され前記注入部を挿入可能なスリットが形成された弾性部材からなるセプタムと該セプタムを外筒部に固定する固定手段と前記セプタムに隣接し前記孔部を含む前記注入部先端が開放可能な空隙と前記外筒部の内周側に形成され前記空隙から外部へと連通する内管と前記内管から排出される液体が流入する排出側部材に接続する接続手段とを備えた雌コネクターと、
を備えたコネクター。
【発明の詳細な説明】
【技術分野】
【０００１】
本発明は医療用の継ぎ手部を構成する輸液ラインの接続構造およびその接続構造を備えたコネクターに係り、より詳しくは、保護シャッターを備え三方活栓等に接続して輸液ラインに結合させて血液や薬液等を輸液ライン側に注入する輸液ラインの接続構造およびその接続構造を備えたコネクターに関するものである。
【背景技術】
【０００２】
医療用器具の輸液ラインにおいて、感染防止機能や針刺事故防止機能を備えたクローズドシステムが用いられている。例えば、三方活栓の雌コネクター側にセプタム等を設けたものがある。
図１０は従来の医療用の継ぎ手部の一例を示す縦断面図で、雄コネクターと雌コネクターとからなる。雄コネクター４０は雄型ルアー４１を有しており、雌コネクター５０は中空のリテーナ５１の内部に配置されて雄型ルアー４１が嵌入するセプタム５２を有している。リテーナ５１には、その外周面から外方へ突出する突出部５３が形成され、この部分が雄コネクター４０の締結用筒部４２のネジに螺合するようになっている。これにより、雄コネクター４０と雌コネクター５０とを係合させて固定する（例えば、特許文献１参照）。
【０００３】
【特許文献１】特表平８−５００９８３号公報（第２頁、図２）
【発明の開示】
【発明が解決しようとする課題】
【０００４】
従来の医療用の継ぎ手部では、雄コネクター４０の雄型ルアー４１の先端に孔部４３を設けているが、プライミング後に液が孔部４３から漏れたり、コネクターが外れたときに液がそのまま垂れ流しの状態になったりして不清潔な状態になりやすく、孔部４３付近の保護が十分ではなかった。また、雄型ルアー４１の側面も外部に露出した状態にあり、側面部及びその周辺部に外部の埃が付着したり漏れ出した液が付着したりして不清潔な状態になりやすかった。
【０００５】
本発明は上記のような課題を解決するためになされたもので、プライミング時や接続時においても孔部近傍を清潔状態のまま維持することができ、接続状態を解除したときにも孔部より液が漏れることがなく、また、相手部材との接続部分を消毒し易い構造とし、輸液ラインへの取り付け取り外しを行うことができる輸液ラインの接続構造およびその接続構造を備えたコネクターを得ることを目的とする。
【課題を解決するための手段】
【０００６】
本発明は、医療用の液体を流す輸液ラインの接続構造であって、先端部に孔部を有する筒状の注入部、及び該注入部の内側に連通する導入部からなる注入管と、前記注入管に繋がった底部を有し先端部側に開口すると共に相手側部材に嵌合可能な有底筒状の外筒部と、前記注入部に設けた孔部の前面側より基部側にかけて外挿され前記基部側に向けて所定以上の押圧力を受けると前記注入部を挿入させながら前記孔部を外部と連通させ該押圧力を解除すると先端部側へ戻って前記孔部と外部とを遮断するシャッター本体、及び該シャッター本体を保持し前記シャッター本体と一体となって前記外筒部を該外筒部に沿って滑動する滑動部からなる保護シャッターとを備えたものである。
ここに、輸液ラインの接続構造は例えば後述の雄コネクターと雌コネクターとを備えたコネクターよりなる接続構造であってもよく、この場合は上記の相手部材は雌コネクターとなる。また、上記の所定以上の押圧力とは、保護シャッターを注入部基部側へ押圧したときに開口部を開くことができる大きさの押圧力を意味する。
【０００７】
また、本発明は、医療用の液体を流す輸液ラインの接続構造であって、前記注入部の基部側に先端部方向に縮径するテーパー部を設け、前記保護シャッターのシャッター本体がテーパー部側に摺動したとき該シャッター本体が該テーパー部に沿って拡径して先端部側への付勢力を発生するようにしたものである。
さらに、本発明は、医療用の液体を流す輸液ラインの接続構造であって、前記注入部の基部側に先端部方向に縮径するテーパー部を設け、前記保護シャッターのシャッター本体がテーパー部側に摺動したとき該シャッター本体が該テーパー部に沿って拡径されると共に該シャッター本体の中央部付近が軸方向基部側に圧縮されて先端部側への付勢力を発生するようにしたものである。
【０００８】
また、本発明は、医療用の液体を流す輸液ラインの接続構造であって、前記注入部の基部側に前記保護シャッターのシャッター本体を先端部側に付勢する弾性部材を設け、前記保護シャッターが基部側に摺動したとき該保護シャッターが前記弾性部材によって先端部側への付勢力を発生するようにしたものである。
さらに、本発明は、医療用の液体を流す輸液ラインの接続構造であって、保護シャッターのエア抜き用のフィルターを、注入部の孔部正面に設けたものである。
【０００９】
また、本発明は、医療用の液体を流す輸液ラインの接続構造であって、前記相手部材は、先端から後端まで連通し先端側から前記注入部を包囲すると共に後端側に外部に向けて空気の排出が可能でかつ液体の流出防止が可能なフィルターが設置された包囲部と該包囲部から外形方向に延びる底面部と該底面部から前記外筒部の外周を包囲するように形成され接続部を有する外筒囲み部とからなる保護キャップである。
【００１０】
さらに本発明は、上記の輸液ラインの接続構造を備えた雄コネクターと、前記外筒部に嵌合する嵌合部を有する外管と該外管の内周側に配置され前記注入部を挿入可能なスリットが形成された弾性部材からなるセプタムと該セプタムを外筒部に固定する固定手段と前記セプタムに隣接し前記孔部を含む前記注入部先端が開放可能な空隙と前記外筒部の内周側に形成され前記空隙から外部へと連通する内管と前記内管から排出される液体が流入する排出側部材に接続する接続手段とを備えた雌コネクターとを備えたものである。
【発明の効果】
【００１１】
本発明によれば、注入部先端に孔部を設け、この前面側から外筒部の内周および注入部の外周にかけて保護シャッターを設けたので、相手部材を取外してもほとんど液漏れがなく、菌やごみやほこりが付着するのは外側表面なので、拭き取りなどにより簡単に除去することができ、注入部やその周辺の空間部を常時清潔に維持することができる。さらに、保護キャップを装着したままでプライミングを行うことができる。
【発明を実施するための最良の形態】
【００１２】
［実施の形態１］
図１（ａ）、（ｂ）は本発明の実施の形態１に係る雄コネクターの縦断面図およびその側面図、図２は図１の雄コネクターと嵌合する雌コネクターの縦断面図である。図１に示す雄コネクター１はプラスチック等により形成されてチューブやシリンジなど（図示せず）に取り付けられ、図２に示す雌コネクター３０はプラスチック等により形成されて三方活栓のポートやカテーテルのハブなど（図示せず）に取り付けられており、雄コネクター１を雌コネクター３０に嵌合させて医療用の継ぎ手部を構成する。
【００１３】
図１に示すように、雄コネクター１には薬液などの液を注入する注入管２が設けられており、基部側（上流側）に位置してチューブに接続する円筒状の導入部３と、先端部側（下流側）に位置して導入部３よりも縮径された注入部４とによって構成されている。注入部４は、さらに、導入部３側に位置して先端部側に漸次縮径する円錐状のテーパー注入部４ａと、その先端部側に位置して先端部に孔部５を有し、先端部側に僅かに漸次縮径したほぼ円筒状の先端注入部４ｂとによって構成されている。
【００１４】
注入部４のテーパー注入部４ａの基部近傍からは先端部側に有底筒状の外筒部６が形成されており、基部側に底部６ａを有しその先端部側に周壁６ｂを有して内部に空間部６ｃを形成し、外筒部６の先端部側には後述する保護シャッターが配置されている。なお、周壁６ｂの先端部側には、雌コネクター３０の係止部（後述）と嵌合する係止孔（図示せず）が設けられている。
【００１５】
外筒部６先端の開口部６ｄには、注入部４の前面とその側壁を清潔に保護するための保護シャッター２０が取り付けられ、外筒部６の空間部６ｃ内を注入部４の軸方向に滑動するようになっている。先端注入部４ｂの孔部５の前面側よりテーパー注入部４ａの先端部側にかけては、これらの周囲は弾性部材よりなるシャッター本体２１によって外挿されている。このシャッター本体２１は注入部４の外周に沿ってその軸方向に自在に摺動でき、注入部４の孔部５が開閉されるようになっており、基部側に向けて所定以上の押圧力を受けると先端部側より注入部を貫通させて注入部の軸に沿って摺動し、押圧力を解除すると先端部側へ戻る。ここに所定の押圧力とは、シャッターと注入部との摩擦力や注入部基部側のテーパー角などを考慮して任意に設定することができる。
【００１６】
シャッター本体２１は、その基部側が拡幅して停止部２１ａを形成し、その内径はテーパー注入部４ａの外周テーパー面に沿ってテーパー状に形成されており、また中央部付近は軸方向に波形に変形する円筒部２１ｂを形成し、その内径は先端注入部４ｂの外周に沿って円筒状に形成され、さらに先端部側は円柱状に拡幅して先端拡幅部２１ｃを形成し、その外径は外筒部６の内径よりもやや小径に形成されると共に、内壁は先端注入部４ｂ近傍の形状に沿うように断面ほぼＵ字状に形成されている。また、先端拡幅部２１ｃの先端部側には中央部付近に円柱状に突起してスリット２１ｄを有する貫通部２１ｅが設けられ、シャッター本体２１が基部側に移動したときに先端注入部４ｂが貫通部２１ｅを通って貫通するようになっている。
【００１７】
シャッター本体２１が基部側に移動して注入部４の孔部５が開放されたときは、基部側に拡径するテーパー面によってシャッター本体２１を弾発的に拡径させ、さらにシャッター本体２１の円筒部２１ｂが軸方向に波形に変形されるので、縮径方向への復元弾性が生じ、シャッター本体２１に先端部側への付勢力が発生するものである。
【００１８】
シャッター本体２１の先端部側周囲には有底円筒状の滑動部２２が取り付けられており、これらのシャッター本体２１と滑動部２２とによって保護シャッター２０を構成し、外筒部６の内壁に沿って空間部６ｃ内を注入部４の軸方向に滑動する。この滑動部２２は、先端側に位置する先端壁２２ａと側面側に位置する側面壁２２ｂによって構成され、先端壁２２ａにはその中心部に嵌入孔２２ｃが設けられ、側面壁２２ｂには滑動を停止させるストッパ２２ｄが突設されて基部側は開口している。滑動部２２の嵌入孔２２ｃにはシャッター本体２１の貫通部２１ｅが嵌入しており、貫通部２１ｅの表面と滑動部２２の先端壁２２ａの表面は同一平面を構成して、雌コネクター３０の先端面と当接するようになっている。滑動部２２の側面壁２２ｂの内側には固定部材２２ｅが設けられて、先端拡幅部２１ｃを先端部側に押圧して固定されている。なお、滑動部２２の側面壁２２ｂに設けたストッパ２２ｄは、外筒部６内壁の軸方向に形成した滑動凹部６ｅに沿って滑動し、保護シャッター２０全体が外筒部６の空間部６ｃ内を注入部４の軸方向に沿って滑動するようになっている。
【００１９】
図２に示すように、雌コネクター３０はその基部側（下流側）の内壁３１ａに螺線３１ｂを有する外筒部３１を備え、この螺線３１ｂによって三方活栓のポートに螺合するようになっている。また、外筒部３１の先端部側（上流側）外壁には雄コネクター１の係止孔に係合させるための係止部３２を備えている。さらに、内壁３１ａの先端部側より基部側に向かって断面ほぼＹ字状の注入管３３が設けられ、注入管３３の先端部側には空隙部３４が設けられている。外筒部３１の先端に位置する開口部にはこの開口部を閉塞する断面ほぼコ字状の保持部３５が設けられ、保持部３５の側面内壁に設けた凹部を外筒部３１の先端部側外壁に設けた凸部に係合させて係止してある。保持部３５の中心部には円形孔部３６が形成されており、ここから空隙部３４の中央部付近にかけて弾性部材よりなるセプタム３７が充填され、セプタム３７の環状の溝部３７ｂに保持部３５の環状の突起部３５ａを係合させて係止してある。なお、セプタム３７には、雄コネクター１の注入部４が嵌入するためのスリット３７ａが設けられている。
【００２０】
上記のように構成した本実施の形態１の作用を説明する。まず、図３に示すように、使用前、雄コネクター１に保護キャップ２７を嵌合させておく。保護キャップ２７は雄コネクター１の注入部４を覆う内筒２８と、雄コネクター１の外筒部６の先端部を覆う外筒２９を有する。内筒２８の反注入部側の端部には内部から外部に向けてのみ空気を通し、かつ液体を通さないフィルター２８ａが設けられている。雄コネクター１と保護キャップ２７との嵌合は、雌コネクター３０の場合と同様に保護キャップ２７外部の内周に設けられた係止部２８ｂを雄コネクター１の係止孔に係合させることによって行う。
この状態で雄コネクター１の導入部３、注入部４および保護キャップ２７の内筒２８の内周に輸液を充填すれば、保護キャップ２７を外すだけで、注入部４の孔部５が保護シャッター２０で閉ざされて、プライミングが完了する。
【００２１】
上記のプライミング操作ののちに、雄コネクター１の保護シャッター２０の先端壁２２ａを、三方活栓側に位置する雌コネクター３０の先端面に当接させて押圧すると、保護シャッター２０は外筒部６の内壁に設けた滑動凹部６ｅに沿って後退する。このとき、注入部４の先端部が保護シャッター２０の貫通部２１ｅに設けたスリット２１ｄを通って貫通し、雌コネクター３０のセプタム３７の先端面のスリット３７ａより挿入する。保護シャター２０はさらに後退し、シャッター本体２１の停止部２１ａが外筒部６の底部６ａに当接し、この状態でさらに押圧すると、シャッター本体２１の円筒部２１ｂは波形に変形し、この状態で停止する。ついで雄コネクター１を回動すると、図４に示すように、雌コネクター３０の係止部３２が雄コネクター１の係止孔６ｆに係止して結合し、雄コネクター１の先端注入部４ｂの孔部５部分が雌コネクター３０の空隙部３４内に導入された状態で固定される。
【００２２】
こうして、雄コネクター１の保護シャッター２０が雌コネクター３０の先端面によって押し縮められるので、雄コネクター１の注入部４の孔部５が大気中に開放されることなく、空隙部３４でのみ開放される。すなわち、雄コネクター１の注入部４が雌コネクター３０の内部に挿入され、注入部４の孔部５が空隙部３４内に位置するので、雄コネクター１と雌コネクター３０とが、注入部４の孔部５を介して連通する。
なお、雄コネクター１を雌コネクター３０に接続する際に、接続が外れた場合は、雄コネクター１が離脱する際に保護シャッター２０がその弾性力により先端部側に戻り、雄コネクター１の注入部４の孔部５が保護シャッター２０によって閉じられるので、液が流出することはない。
【００２３】
雄コネクター１と雌コネクター３０が連通しているときは、保護シャッター２０が後退した状態にあり、このとき、シャッター本体２１はテーパー注入部４ａにより拡径され、かつ円筒部２１ｂは波形に変形して軸方向に圧縮された状態となっているので、保護シャッター２０には縮径方向への復元弾性が生じている。雌コネクター３０から雄コネクター１を引き抜くと、シャッター本体２１が復元力によってテーパー注入部４ａのテーパー面に沿って小径側に摺動すると共に保護シャッター２０が外筒部６の滑動凹部６ｅに沿って先端部側に移動し、保護シャッター２０の貫通部２１ｅによって注入部４の孔部５がふさがれ、再び、図１に示すような状態に復帰する。
【００２４】
実施の形態１によれば、雄コネクター１の注入部４にテーパー注入部４ａを設けて保護シャッター２０に径方向への弾性力を付与すると共に、シャッター本体２１に円筒部２１ｂを設けて波形に変形して軸方向への弾性力を付与するようにしたので、保護シャッター２０に先端部側への付勢力を発生させることができる。こうして、雄コネクター１の注入部４の孔部５が通常は保護シャッター２０によって閉塞されており、必要なときにのみ基部側に力を加えることで開放するようにしたので、コネクターの離脱やプライミング時等における液漏れを最小限にし、感染の温床となりやすい液等の拡散を抑えることができ、さらに外筒部６の空間部６ｃ内にほこり等が付着するのを防いで、注入部４及びその周囲を常に清潔な状態に維持することができる。また、雌コネクター３０のセプタム３７と接合する保護シャッター２０の先端側面は、平面で外側に位置しているため簡単に消毒することができる。
【００２５】
［実施の形態２］
図５は本発明の実施の形態２に係る雄コネクターの縦断面図である。実施の形態１においては、保護シャッター２０のシャッター本体２１は径方向に拡径すると共に軸方向に波形に変形する弾性部材によって構成したが、本実施の形態２では、シャッタ本体２１を径方向には拡径するが軸方向にはほとんど変形することがない弾性部材によって構成したものである。
その他の構成は、実施の形態１に示した場合と実質的に同様なので説明を省略する。
【００２６】
上記のように構成した実施の形態２の作用を説明する。図５に示す雄コネクター１を雌コネクター３０に挿入すると、図６に示すように、雄コネクター１の保護シャッター２０は雌コネクター１の先端面によって押圧されて注入部４の軸方向に沿って基部側に滑動し、停止部２１ａが外筒部６の底部６ａに当接して停止する。
【００２７】
このとき、保護シャッター２０のシャッター本体２１はテーパー注入部４ａにより拡径されているので、保護シャッター２０には縮径方向への復元弾性が生じ、テーパー注入部４ａの小径側に移動しようとする力、すなわち先端部側への付勢力が生じている。雌コネクター３０から雄コネクター１を引き抜くと、保護シャッター２０が復元力によってテーパー注入部４ａのテーパー面に沿って小径側すなわち先端部側に滑動し、保護シャッター２０によって注入部４の孔部５がふさがれ、再び、図５に示すような状態に復帰する。
その他の作用、効果は、実施の形態１に示した場合と実質的に同様なので説明を省略する。
【００２８】
［実施の形態３］
図７は本発明の実施の形態３に係る雄コネクターの縦断面図である。本実施の形態３では、実施の形態２に示した保護シャッター２０の貫通部２１ｅに代えて、エア抜きのためのフィルターを設けたものである。シャッター本体２１の先端部側には、円柱状に突起して先端注入部４ｂの孔部５を広めに覆うスリット２３ａを有する弾性フィルター２３が設けられており、保護シャッター２０が基部側に移動したときに先端注入部４ｂが弾性フィルター２３を貫通するようになっている。この弾性フィルター２３はエア抜きのためのフィルターを構成し、空気は通過させるが薬液などの液体は通過させない部材によって構成している。
その他の構成、作用は、実施の形態２に示した場合と実質的に同様なので、説明を省略する。
【００２９】
本実施の形態３によれば、実施の形態２で示した効果に加えて、先端注入部４ｂの孔部５に対応する保護シャッター２０の前面にエア抜きのための弾性フィルター２３を設けたので、例えばプライミング後に保護シャッター２０によって注入部４の孔部５が閉じられた状態にあるときでも、孔部５からの輸液漏れを防止しつつ、残余の空気をさらに吐出することが可能となる。
【００３０】
［実施の形態４］
図８は本発明の実施の形態４に係る雄コネクターの縦断面図である。本実施の形態４では、保護シャッター２０の基部側にコイルばねのような弾性部材を取り付けたものである。図８に示すように、雄コネクター１の注入管２は、基部側に位置してチューブに接続する円筒状の導入部３と、先端部側に位置して導入部３よりも縮径された円筒状の注入部４とによって構成されている。注入部４の先端部には孔部５が設けられ、注入管２と注入部４の外部とを連通している。
【００３１】
外筒部６の空間部６ｃ内には、実施の形態２に示したのと同様に、注入部４の孔部５近傍と側壁を清潔に保護するための保護シャッター２０が取り付けられ、外筒部６の空間部６ｃ内を注入部４の軸方向に沿って摺動するようにしてある。保護シャッター２０の基部側に位置する注入部４にはコイルばね２４が外挿されており、一端をシャッター本体２１の停止部２１ａに係止させ、他端を外筒部６の底部６ａに係止させている。なお、保護シャッター２０は、図９に示す圧縮状態から前進方向への付勢力によって先端部側に復帰する場合は、保護シャッター２０のストッパ２２ｄが外筒部６の滑動凹部６ｅに沿って滑動したのち、滑動凹部６ｅの端部で停止して、図８に示す当初の位置に戻る。
その他の構成、作用は、実施の形態２で示した場合と実質的に同様なので説明を省略する。
本実施の形態４によれば、実施の形態２で示した効果に加えて、保護シャッター２０の基部側にコイルばね２４を取り付けたので、先端部側への確実な付勢力を得ることができる。
【００３２】
上記の各実施の形態に示したコネクターの形状を、シリンジの先端部の形状が雄コネクターの注入部の形状となるようシリンジに適用してもよい。また、ルアーチップやカテーテルチップの形状を雄コネクターの注入部の形状となるように適用してもよい。
【図面の簡単な説明】
【００３３】
【図１ａ】本発明の実施の形態１に係る雄コネクターの縦断面図である。
【図１ｂ】図１（ａ）の矢視Ａにおける雄コネクターの正面図である。
【図２ａ】図１の雄コネクターと嵌合する雌コネクターの縦断面図である。
【図２ｂ】図２（ａ）の矢視Ｂにおける雌コネクターの正面図である。
【図３ａ】実施の形態１の雄コネクター１に保護キャップ２７を嵌合した状態の縦断面図である。
【図３ｂ】図３（ａ）の矢視Ｃにおける雄コネクター１に保護キャップを嵌合した状態の正面図である。
【図４】実施の形態１の雄コネクター１と雌コネクター３０とを結合した状態の縦断面図である。
【図５】本発明の実施の形態２に係る雄コネクター１の縦断面図である。
【図６】実施の形態２に係る雄コネクター１の孔部５を開いた状態の縦断面図である。
【図７】本発明の実施の形態３に係る雄コネクター１の縦断面図である。
【図８】本発明の実施の形態４に係る雄コネクター１の縦断面図である。
【図９】実施の形態４に係る雄コネクター１の孔部５を開いた状態の縦断面図である。
【図１０】従来の医療用継ぎ手装置の一例を示す縦断面図である。
【符号の説明】
【００３４】
１  雄コネクター、２  注入管、３  導入部、４  注入部、４ａ  テーパー注入部、５  孔部、６  外筒部、６ｂ  周壁、６ｄ  開口部、６ｅ  滑動凹部、２０  保護シャッター、２１  シャッター本体、２１ｂ  円筒部、２１ｄ，２３ａ  スリット、２１ｅ  貫通部、２２  滑動部、２３  弾性フィルター、２４  コイルばね、３０  雌コネクター、３７  セプタム。
【図１ａ】
2006102255.tif 000003
【図１ｂ】
2006102255.tif 000004
【図２ａ】
2006102255.tif 000005
【図２ｂ】
2006102255.tif 000006
【図３ａ】
2006102255.tif 000007
【図３ｂ】
2006102255.tif 000008
【図４】
2006102255.tif 000009
【図５】
2006102255.tif 000010
【図６】
2006102255.tif 000011
【図７】
2006102255.tif 000012
【図８】
2006102255.tif 000013
【図９】
2006102255.tif 000014
【図１０】
2006102255.tif 000015